(57)【要約】【課題】アンダーカット部をなくし、係止力に優れたワイヤーハーネス用結束バンドを提供する。【解決手段】バンド部２０の幅方向両端部にはバンド部２０の長手方向に沿って両面から突設されるガイドリブ２２を備え、その中央位置には長手方向に沿って間欠的に複数の係止孔２１が形成されている。バンド部２０の一端部にはバンド挿通通路３１が設けられ、その両側部にはガイド溝部３２が形成されている。バンド挿通通路３１のうち、バンド部２０の表裏両面に対応する内壁部からは各々第１ロックアーム部３３Ａと第２ロックアーム部３３Ｂとが突設されている。第１ロックアーム部３３Ａの先端部寄りには、係止孔２１に係合可能な単一の第１係合爪３４Ａが形成され、第２ロックアーム部３３Ｂの先端部寄りには第１係合爪３４Ａが係合する係止孔２１とは異なる係止孔２１と係合する単一の第２係合爪３４Ｂが形成されている。【選択図】図４
2011094770.tif 000002
【特許請求の範囲】
【請求項１】
ワイヤーハーネスに巻回されるバンド部と、
前記バンド部に形成されその幅方向の両端部において前記バンド部の長手方向に沿って両面から突設されたガイドリブと、
前記バンド部に前記長手方向に沿って間欠的に形成された複数の係止孔と、
前記バンド部の長手方向の一端部に設けられ、前記ワイヤハーネスに巻回した前記バンド部をその他端部側から挿通可能なバンド挿通通路と、
前記バンド挿通通路の内周縁の対向位置に形成され前記バンド部の前記ガイドリブを前記バンド部の表裏両面側から摺接させてガイドするガイド溝部と、
前記バンド挿通通路のうち前記バンド部の表裏両面の一方の面に対応する内壁部から突設され、挿通された前記バンド部の前記他端側に向かってＬ字形に屈曲して前記バンド部に沿って延びると共に、先端部寄りに前記係止孔に係合可能な単一の係合爪を有する第１のロックアームと、
前記バンド挿通通路のうち前記バンド部の表裏両面のうちの他方の面に対応する内壁部から突設され、挿通された前記バンド部の前記他端側に向かってＬ字形に屈曲して前記バンド部に沿って延びると共に、先端部寄りに前記第１のロックアームの前記係合爪が係合する前記係止孔とは異なる係止孔と係合する単一の係合爪を有する第２のロックアームと、を備えることを特徴とするワイヤーハーネス用結束バンド。
【請求項２】
前記ワイヤーハーネス用結束バンドは、合成樹脂製であって、一体成形により形成されていることを特徴とする請求項１に記載のワイヤーハーネス用結束バンド。
【請求項３】
前記第１のロックアームと前記第２のロックアームとは、前記バンド挿通通路の挿通方向において互い違いとなる位置に形成されていることを特徴とする請求項１又は請求項２に記載のワイヤーハーネス用結束バンド。
【請求項４】
前記係合爪は、前記第１のロックアームと前記第２のロックアームにおいて、前記バンド挿通通路に挿通された前記バンド部に沿う面上に各々形成され、前記係合爪の前記第１のロックアームと前記第２のロックアームの各々の基端部からの形成位置が同一であることを特徴とする請求項１ないし請求項３のいずれか一項に記載のワイヤーハーネス用結束バンド。
【発明の詳細な説明】
【技術分野】
【０００１】
本発明は、ワイヤーハーネス用結束バンドに関する。
【背景技術】
【０００２】
従来、車両等に配索されるワイヤーハーネスを結束保持するために用いられる結束バンドの一例として図９から図１１に記載のものが知られている。この結束バンド１００は、ワイヤーハーネスに巻きつく帯状のバンド部１０１と、バンド部１０１を挿通して係止するバンド挿通孔１０２と、を備えている。バンド部１０１には、図示しない係止歯が形成され、挿通孔１０２内には、図１０に示すロックアーム部１０３が一体形成されている。ロックアーム部１０３には３つの係止爪１０４が立設されており、その係止爪１０４を含めて一体に成形するための金型構造は図１１に示すものとなっている。
【０００３】
この金型構造は３型からなり、まず左側の第１金型１を開き、続いて、右側の下側に位置する第２金型２を開き、ロックアーム部１０３を第２金型２を開いたことで成形された空間部分に撓ませ、右側の上側に位置する第３金型３を右側に抜いて成形が完了する。しかしながらこのような構造によると、第３金型３に関して係止爪１０４がアンダーカットとなることから、最後の第３金型３を無理に抜くこととなる。これにより、第３金型３の引抜時に係止爪１０４に破損やダレが発生し、これが係止力の不足につながることが懸念される。
【０００４】
これに対して、アンダーカット部が生じないような構造として特許文献１に記載のものが知られている。この結束バンドは、上記と略同様の構造をなしているが、ロックアーム部に突設される係止爪を一つとしているところが相違する。これにより、アンダーカット部が生じない金型構造としている。
【０００５】
この結束バンドは、バンド部をワイヤーハーネスに巻きつけた状態で挿通孔へと挿通させ、ワイヤーハーネスを締め付けた位置で静止させると係止歯が係止爪に引っ掛かり結束した状態が保持される。また、バンド部を挿通孔から引き抜こうとすると、ロックアーム部に一体に形成された係止爪がバンド部の係止歯に引きずられて撓み変形し、ロックアーム部の後端部が、バンド部の係止歯に係止され、二重係止が可能な構造となっている。これにより、係止爪を一つにしたことによる係止力の低下を補うことができる。
【先行技術文献】
【特許文献】
【０００６】
【特許文献１】特開２００１−２０８０１８号公報
【発明の概要】
【発明が解決しようとする課題】
【０００７】
しかしながら、上記のようにバンド部を挿通孔から引き抜こうとした際にのみ、ロックアーム部の後端部は係止爪としての機能を果たすから、やはりバンド部が挿通孔の挿通方向に挿通されたときに係止するための係止力の低下が懸念される。
【０００８】
本発明は上記のような事情に基づいて完成されたものであって、係合力に優れ、且つ成形時にアンダーカット部が生じることのないワイヤーハーネス用結束バンドを提供することを目的とする。
【課題を解決するための手段】
【０００９】
本発明は、ワイヤーハーネスに巻回されるバンド部と、前記バンド部に形成されその幅方向の両端部において前記バンド部の長手方向に沿って両面から突設されたガイドリブと、前記バンド部に前記長手方向に沿って間欠的に形成された複数の係止孔と、前記バンド部の長手方向の一端部に設けられ、前記ワイヤハーネスに巻回した前記バンド部をその他端部側から挿通可能なバンド挿通通路と、前記バンド挿通通路の内周縁の対向位置に形成され前記バンド部の前記ガイドリブを前記バンド部の表裏両面側から摺接させてガイドするガイド溝部と、前記バンド挿通通路のうち前記バンド部の表裏両面の一方の面に対応する内壁部から突設され挿通された前記バンド部の前記他端側に向かってＬ字形に屈曲して前記バンド部に沿って延びると共に、先端部寄りに前記係止孔に係合可能な単一の係合爪を有する第１のロックアームと、前記バンド挿通通路のうち前記バンド部の表裏両面のうちの他方の面に対応する内壁部から突設され挿通された前記バンド部の前記他端側に向かってＬ字形に屈曲して前記バンド部に沿って延びると共に、先端部寄りに前記第１のロックアームの前記係合爪が係合する前記係止孔とは異なる係止孔と係合する単一の係合爪を有する第２のロックアームとを備えることに特徴を有する。
【００１０】
このような構造によれば、２つの係合爪が異なる係止孔に係合して、２重に係止することができるから、係合力に優れた構造とすることができる。即ち、バンド挿通通路の対応する内周壁側から一つずつロックアームが形成され、その先端部寄りに各々一つずつ係合爪が立設されているから、従来の単一のロックアーム部が備えられ、そのロックアーム部から単一の係止爪が立設されていた場合と比較して、係合力を向上させることができる。さらに、この構造を成形するための成形金型には、アンダーカット部が生じず、バンド挿通通路の挿通方向を抜き方向とする２型からなる割型により成形できる。
【００１１】
前記ワイヤーハーネス用結束バンドは、合成樹脂製であって、一体成形により形成されていることが望ましい。
【００１２】
前記第１のロックアームと前記第２のロックアームとは、前記バンド挿通通路の挿通方向において互い違いとなる位置に形成されていてもよい。バンド挿通通路の内壁部の互いに対向する面に形成された第１のロックアームと第２のロックアームは、その挿通方向の位置が、一致して重なると、その分、バンド挿通通路の穴径の高さ方向に関して高くしなければならず、結束バンド全体の大きさが大きくなってしまう。これに対して、各ロックアームを互いにバンド挿通通路内でずらして配することで、対応する内壁部の両側にロックアームをそれぞれ設けたとしても、結束バンドが大型化するのを防ぐことができる。さらに、各係止爪が異なる係止孔にそれぞれ係止されるように配されているから、両側から同じ係止孔に２つの係止爪が係止されることがなく、バンド部の厚みは従来通りでよいという利点もある。
【００１３】
前記係合爪は、前記第１のロックアームと前記第２のロックアームにおいて、前記バンド挿通通路に挿通された前記バンド部に沿う面上に各々形成され、前記係合爪の前記第１のロックアームと前記第２のロックアームの各々の基端部からの形成位置が同一であることが望ましい。各ロックアームの基端部からの係合爪の形成位置を同一とすることで、係止孔に対する係合爪の係合力を一定とすることができる。即ち、各ロックアームは、バンド部が挿通すると突設された側の内壁部側に撓み変形し、バンド部が静止するとその撓み変形したロックアームが弾性復帰することで、バンド部にロックアーム上に形成された係合爪が押し込まれるようにして、係合する。よって、係合爪のロックアームの基端部からの形成位置によって、そのロックアームの弾性力を利用した係合爪の係合力が変化するため、係合爪のロックアームの基端部からの形成位置が同一であることが望ましいのである。
【発明の効果】
【００１４】
本発明によれば、係合力に優れ、且つ成形時にアンダーカット部が生じることのない結束バンドを提供することができる。
【図面の簡単な説明】
【００１５】
【図１】本発明の実施形態１に係る結束バンドの斜視図
【図２】本発明の実施形態１に係る結束バンドの図１の本体部拡大図
【図３】本発明の実施形態１に係る結束バンドの正面図
【図４】本発明の実施形態１に係る結束バンドの図３のＡ−Ａ断面図
【図５】本発明の実施形態１に係る結束バンドの側面図
【図６】本発明の実施形態１に係る結束バンドの図５のＢ−Ｂ断面図
【図７】本発明の実施形態１に係る結束バンドの図３のＡ−Ａ断面においてバンド部をバンド挿通孔に挿通させた状態図
【図８】本発明の実施形態１に係る結束バンドの金型構造を示した概略図
【図９】従来例に係る結束バンドの背面図
【図１０】従来例に係る結束バンドの図９のＣ−Ｃ断面図
【図１１】従来例に係る結束バンドの金型構造を示した概略図
【発明を実施するための形態】
【００１６】
＜実施形態１＞
本発明の実施形態１を図１ないし図８によって説明する。
ワイヤーハーネス用結束バンド１０は、合成樹脂製であって、一体成形によって形成されている。その構成は図１に示すように、ワイヤーハーネスに巻回されるバンド部２０と、バンド部２０の一端に連結された略箱状の本体部３０と、本体部３０を貫通するように設けられたバンド挿通通路３１とを備えている。以下、図１の上を上側、下を下側、手前側を後方、奥側を前方として説明する。
【００１７】
バンド部２０は、図１に示すように、複数のワイヤーハーネスを束ねることのできる長さを有し、略一定の幅寸法で本体部３０から下方に延出されている。その厚みは可撓性を有するために薄肉となっている。バンド部２０の幅方向の略中央部には係止孔２１が長手方向に沿って一定間隔に多数形成されている。バンド部２０の幅方向の両端部には、バンド部２０の長手方向に沿って延びるガイドリブ２２が両面から突設されている。
【００１８】
本体部３０には、図１の奥側から手前側（前方から後方）に貫通するバンド挿通通路３１が形成されている。バンド挿通通路３１は、バンド部２０がその先端から挿通可能であって、その幅方向の両側部には、バンド部２０のガイドリブ２２をその上下両面側から摺接することの可能なガイド溝部３２が設けられている。
【００１９】
バンド挿通通路３１の挿通方向の略中央位置の上側壁面３１Ａからは、図４に示すように、第１ロックアーム部３３Ａ（第１のロックアームに相当する）が突設されている。第１ロックアーム部３３Ａは、バンド挿通通路３１の後方に向かってＬ字型に屈曲し、その延出方向は、バンド挿通通路３１の挿通方向に沿う方向とされている。バンド挿通通路３１の挿通方向の第１ロックアーム部３３Ａの突設位置よりも前側の位置には、バンド挿通通路３１の下側壁面３１Ｂから第２ロックアーム部３３Ｂ（第２のロックアームに相当する）が突設されている。第２ロックアーム部３３Ｂは、第１ロックアーム部３３Ａと同様に、バンド挿通通路３１の後方に向かってＬ字型に屈曲し、その延出方向は、バンド挿通通路３１の挿通方向に沿う方向である。
【００２０】
第１ロックアーム部３３Ａの先端側の下側壁面３１Ｂに対向する面には、第１係合爪３４Ａが立設されている。同じようにして、第２ロックアーム部３３Ｂの先端側の上側壁面３１Ａに対向する面には、第２係合爪３４Ｂが立設されている。各係合爪３４の形状は、図４に示すように、バンド挿通通路３１の挿入側である前側からなだらかに傾斜をなして立ち上がり、後側の端部は、その挿通方向に対して直交する方向に切り立った状態となっている。この係合爪３４が、バンド部２０の係止孔２１に引っ掛かることで係合される。
【００２１】
次にワイヤーハーネスを結束する手順について図５から図７を用いて説明する。
まず、図示しないワイヤーハーネスにバンド部２０を巻回した状態で、バンド部２０をバンド挿通通路３１に挿入する。詳しくは、その挿入方向は、図５に示す矢印の方向（前側から後側）であって、バンド部２０の両側のガイドリブ２２がガイド溝部３２に嵌るようにその先端からバンド挿通孔３１も挿入する。図６に示すように、バンド部２０のガイドリブ２２の上下両面がガイド溝部３２に摺接すると、バンド部２０は、このガイド溝部３２に沿ってさらに挿通されていく。この際、各ロックアーム部３３はバンド部２０によって、各々突設された側の壁面３１に向かって弾性的に撓み変形している。
【００２２】
さて、バンド部２０が、ワイヤーハーネスを締め付けた状態で静止すると、各係合爪３４に係止孔２１が引っ掛かかる。詳しくは、係止爪３４を有するロックアーム部３３は、撓み変形したその反力（つまり、弾性復帰しようとする力）により、対向するバンド部２０を押圧した状態にある。この状態でバンド部２０を静止すると、各係合爪３４に対応する位置の係止孔２１に、当該係合爪３４が入り込むことで係合される（図７参照）。以上のようにして、ワイヤーハーネスは、結束バンド１０によってその締め付けた状態のままに結束される。
【００２３】
なお、このワイヤーハーネス用結束バンド１０を成形するための成形金型５０は、図８に示すように、第１金型５１と第２金型５２とからなる割型によって構成され、その抜き方向は、バンド挿通孔３０の挿通方向と同方向とされる。
【００２４】
以上説明したように、第１ロックアーム部３３Ａと第２ロックアーム部３３Ｂの二つのロックアームをバンド挿通通路３１の上下壁面３１Ａ，３１Ｂにその挿通方向に対して互い違いとなるように各々一つずつ設け、さらに各ロックアーム部３３Ａ，３３Ｂの先端側に第１係合爪３４Ａ，第２係合爪３４Ｂをそれぞれ立設させているから、２つの係合爪３４Ａ，３４Ｂが異なる係止孔２１にそれぞれ係合し、バンド部２０の異なる２箇所を係合する２重係合構造とすることができる。加えて、従来の例えばバンド挿通通路の下側壁面にのみロックアームを突設しそのロックアーム上に複数の係合爪を立設させた場合と比較して、各ロックアーム部３３Ａ，３３Ｂに立設する係合爪３４Ａ，３４Ｂを一つずつとしたことにより、成形時にアンダーカット部が生じることなく、しかも成形金型を２型からなる割型とすることができる。このように、本実施形態によれば、２重係合構造とアンダーカット部の生じない金型構造の両方を同時に可能とすることができる。
【００２５】
また、第１ロックアーム部３３Ａと第２ロックアーム部３３Ｂとをバンド挿通通路３１の挿通方向に関してずらして配置することで、挿通方向に関して同位置に設けられた場合と比較して、バンド挿通通路３１の内径を小さくすることができる。さらに、各係止爪３４Ａ，３４Ｂが異なる係止孔２１にそれぞれ係止されるように配されているから、両側から同じ係止孔２１に２つの係止爪３４Ａ，３４Ｂが係止されることがなく、従来の係止爪がバンド部の片側のみに対応していた場合と、略同じ厚さのバンド部２０で対応することができる。
【００２６】
なお、バンド部２０の幅方向両端部には、上下両面に突出するガイドリブ２２が形成されており、バンド挿通通路３１のガイドリブ２２に対応する位置にはガイド溝部３２が設けられているから、バンド部２０は、ガイドリブ２２をガイド溝部３２に合致させることで、バンド部２０の挿通方向をガイドすることができる。これにより、係合爪３４Ａ，３４Ｂがバンド部２０の係止孔２１に係合されやすいように、その位置関係を一定とすることができるから、さらなる係合力の向上に寄与できる。
【００２７】
＜他の実施形態＞
本発明は上記記述及び図面によって説明した実施形態に限定されるものではなく、例えば次のような実施形態も本発明の技術的範囲に含まれる。
【００２８】
（１）上記実施形態１では、第１ロックアーム部３３Ａと第２ロックアーム部３３Ｂは、バンド挿通通路３１の挿通方向において、互い違いとなるように、形成されていたが、これに限られず、例えば、第１ロックアーム部３３Ａと第２ロックアーム部３３Ｂとが互いに対向する位置に形成されていてもよい。ただし、各ロックアーム部３３に突設される係合爪３４の位置は、互い違いとなるように、各ロックアーム部３３の先端からの距離が異なるように形成されている。このようにすれば、各係合爪３４は、それぞれ異なる係止孔２１に係合されることとなるので、バンド部２０の異なる位置での二重係止が可能となる。
【符号の説明】
【００２９】
１０…ワイヤーハーネス用結束バンド
２０…バンド部
２１…係止孔
３０…本体部
３１…バンド挿通通路
３２…ガイド溝部
３３Ａ…第１ロックアーム部
３３Ｂ…第２ロックアーム部
３４Ａ…第１係合爪
３４Ｂ…第２係合爪
【図１】
2011094770.tif 000003
【図２】
2011094770.tif 000004
【図３】
2011094770.tif 000005
【図４】
2011094770.tif 000006
【図５】
2011094770.tif 000007
【図６】
2011094770.tif 000008
【図７】
2011094770.tif 000009
【図８】
2011094770.tif 000010
【図９】
2011094770.tif 000011
【図１０】
2011094770.tif 000012
【図１１】
2011094770.tif 000013